(57)【要約】【課題】    昇降装置で吊りひもを巻取り・繰り出しして昇降グリルを昇降させる天井埋込型空気調和装置において、各吊りひもの先端での引上げ力を極力等しくすることができる天井埋込型空気調和装置を提供する。【解決手段】  天井埋込型空気調和装置は、天井内に設置される室内機本体１と、空気吸込口１２および吹出口１３を具備するとともに室内機本体の下端に取り付けられるグリル枠１１と、上昇時にはグリル枠の吸込口に位置するとともにフィルター２２を着脱可能に具備する昇降グリル２１と、昇降グリルに取り付けられた複数の吊りひも２３，２４，２５と、吊りひもを巻取り・繰り出しすることにより昇降グリルを昇降させる昇降装置２６と、吊りひもに摩擦抵抗を加える摩擦抵抗負荷装置３７，３８，３９とを備え、前記摩擦抵抗負荷装置は互いにその摩擦抵抗値が異なっている。【選択図】      図２
2005016934.tif 000002
【特許請求の範囲】
【請求項１】
天井内に設置される室内機本体と、空気吸込口および吹出口を具備するとともに、室内機本体の下端に取り付けられるグリル枠と、上昇時には前記グリル枠の吸込口に位置するとともに、フィルターを着脱可能に具備する昇降グリルと、昇降グリルに取り付けられた複数の吊りひもと、これら吊りひもを巻取り・繰り出しすることにより昇降グリルを昇降させる昇降装置と、前記吊りひもに摩擦抵抗を加える摩擦抵抗負荷装置とを備え、
前記摩擦抵抗負荷装置は、各吊りひも毎に設けられるとともに、少なくとも１個の摩擦抵抗負荷装置の加える摩擦抵抗値が、他の摩擦抵抗負荷装置の加える摩擦抵抗値と異なっていることを特徴とする天井埋込型空気調和装置。
【請求項２】
前記昇降装置は１個配置され、この１個の昇降装置が複数の吊りひもの巻取り・繰り出しを行い、最も配線長さの長い吊りひもの摩擦抵抗負荷装置の摩擦抵抗値が、他の摩擦抵抗負荷装置の摩擦抵抗値よりも小さいことを特徴としている請求項１に記載の天井埋込型空気調和装置。
【請求項３】
前記昇降装置は前記空気吸込口の横側に設けられ、この昇降装置により巻取り・繰り出しされる吊りひもの本数が３本であり、第１吊りひもおよび第２吊りひもが昇降グリルの前側または後側の一方の側の両端部に取り付けられ、第３吊りひもが昇降グリルの前側または後側の他方の側の中央部に取り付けられていることを特徴としている請求項１または２に記載の天井埋込型空気調和装置。
【発明の詳細な説明】
【技術分野】
【０００１】
本発明は、天井埋込型空気調和装置に関する。
【背景技術】
【０００２】
従来、天井埋込型空気調和装置には、たとえば特許文献１に記載されているように、フィルターを掃除または交換するために、昇降装置によって吊りひもを巻取り・繰り出しして昇降グリルを上下動可能にしているものがある。
【特許文献１】特開２００２−３４９８９３号公報
【発明の開示】
【発明が解決しようとする課題】
【０００３】
ところで、吊りひもの繰り出し時には、昇降グリルの重力により、昇降グリルは下降するが、下降スピードが速くなり過ぎることがある。そこで、摩擦抵抗負荷装置で吊りひもに摩擦抵抗を負荷して、昇降グリルの下降スピードを遅くすることが検討されている。この摩擦抵抗負荷装置による摩擦抵抗は常時負荷されるため、吊りひもの巻取り時にも負荷されており、昇降装置の引き上げ力は摩擦抵抗負荷装置の摩擦抵抗値によって影響を受ける。
【０００４】
また、吊りひもの配線による抵抗は各々異なっており、昇降装置の近くでの引上げ力が各吊りひもにおいて同じであっても、各吊りひもの先端での引上げ力は、各吊りひもでそれぞれ異なることがある。このように、各吊りひもにおける先端の引上げ力が、各吊りひもにおいて異なると、昇降グリルの収納性が悪くなることがある。
【０００５】
特に、１個の昇降装置を用いて複数の吊りひもの巻取り・繰り出しを行う場合に、各吊りひもの配線長さが異なり、それにともなって、各吊りひもの先端での引上げ力が異なるおそれが高くなる。
【０００６】
本発明は、以上のような課題を解決するためのもので、1個の昇降装置を用いて吊りひもを巻取り・繰り出しして昇降グリルを昇降させる天井埋込型空気調和装置において、各吊りひもの先端での引上げ力を極力等しくすることができる天井埋込型空気調和装置を提供することを目的としている。
【課題を解決するための手段】
【０００７】
請求項１に記載の発明は、天井内に設置される室内機本体（１）と、空気吸込口（１２）および吹出口（１３）を具備するとともに室内機本体の下端に取り付けられるグリル枠（１１）と、上昇時には前記グリル枠の吸込口に位置するとともにフィルター（２２）を着脱可能に具備する昇降グリル（２１）と、昇降グリルに取り付けられた複数の吊りひも（２３，２４，２５）と、この吊りひもを巻取り・繰り出しすることにより昇降グリルを昇降させる昇降装置（２６）と、前記吊りひもに摩擦抵抗を加える摩擦抵抗負荷装置（３７，３８，３９）とを備え、この摩擦抵抗負荷装置は吊りひも毎に設けられるとともに、少なくとも１個の摩擦抵抗負荷装置の加える摩擦抵抗値が、他の摩擦抵抗負荷装置の加える摩擦抵抗値と異なっていることを特徴とする。
【０００８】
請求項２に記載の発明は、請求項１に記載の天井埋込型空気調和装置において、前記昇降装置は１個配置され、この１個の昇降装置が複数の吊りひもの巻取り・繰り出しを行い、最も配線長さの長い吊りひもの摩擦抵抗負荷装置の摩擦抵抗値が、他の摩擦抵抗負荷装置の摩擦抵抗値よりも小さいことを特徴とする。
【０００９】
請求項３に記載の発明は、請求項１または２に記載の天井埋込型空気調和装置において、前記昇降装置は前記空気吸込口の横側に設けられ、この昇降装置により巻取り・繰り出しされる吊りひもの本数が３本であり、第１吊りひもおよび第２吊りひもが昇降グリルの前側または後側の一方の側の両端部に取り付けられ、第３吊りひもが昇降グリルの前側または後側の他方の側の中央部に取り付けられていることを特徴とする。
【発明の効果】
【００１０】
請求項１に記載の発明によれば、昇降グリルを上下動させる吊りひもに摩擦抵抗負荷装置が摩擦抵抗を負荷しているので、昇降グリルを適度なスピードで降下させることができる。しかも、摩擦抵抗負荷装置の摩擦抵抗値を異ならせることにより、各吊りひもの先端での引上げ力を略等しくすることができ、昇降グリルを適正に収納することができる。
【００１１】
請求項２に記載の発明によれば、最も配線長さの長い吊りひもの摩擦抵抗負荷装置の摩擦抵抗値が他の摩擦抵抗負荷装置の摩擦抵抗値よりも小さい場合には、配線長さが長いと配線による摩擦抵抗が大きくなるが、その吊りひもに摩擦を負荷する摩擦抵抗負荷装置の摩擦抵抗値が小さいので、各吊りひもの先端での引上げ力を極力等しくすることができる。
【００１２】
請求項３に記載の発明によれば、昇降装置により巻取り・繰り出しされる吊りひもの本数が３本であり、第１吊りひもおよび第２吊りひもが昇降グリルの前側または後側の一方の側の両端部に取り付けられ、第３吊りひもが昇降グリルの前側または後側の他方の側の中央部に取り付けられている場合には、少ない本数の吊りひもで安定して昇降グリルを上下動させることができる。そして、この様に各吊りひもの配線長さが異なっていても、摩擦抵抗負荷装置により、各吊りひもの先端での引上げ力を極力等しくすることができる。
【発明を実施するための最良の形態】
【００１３】
次に、本発明における天井埋込型空気調和装置の実施の一形態を図１ないし図５を用いて説明する。図１は本発明の実施の形態の天井埋込型空気調和装置のグリル枠および昇降グリルの斜視図である。図２はグリル枠の概略の平面図である。図３はグリル枠の要部断面図である。図４は摩擦抵抗負荷装置の説明図で、（ａ）が正面図、（ｂ）が（ａ）の B-B断面図である。図５は天井埋込型空気調和装置の斜視図である。なお、図１において、昇降グリルは下降した状態で図示されている。また、図２において、巻取りドラムおよび吊りひもは破線で図示されている。さらに、図２および図３において、摩擦抵抗負荷装置の配置位置は分かり易いように位置をずらして図示されている。そして、この明細書において、天井埋込型空気調和装置の長手方向を左右方向としている。
【００１４】
天井埋込型空気調和装置の室内機本体１には、その左右側面の前後に固定フランジ３が総計４個設けられている。天井板６には、室内機本体１を下側から天井内に設置することが可能なように開口部７が形成される。また、アンカーボルト９が天井内の構造体（図示しない）に取り付けられており、このアンカーボルト９の下端部に室内機本体１の固定フランジ３を固定することにより、室内機本体１は天井内に設置される。
【００１５】
室内機本体１は、内部に熱交換器（図示しない）および送風機（図示しない）を具備している。そして、天井板６の開口部７および室内機本体１の下方は、グリル枠１１で覆われている。このグリル枠１１は室内機本体１の下端に取り付けられているとともに、空気吸込口１２および吹出口１３を具備している。
【００１６】
グリル枠１１の吸込口１２には昇降グリル２１が配設され、この昇降グリル２１にフィルター２２が着脱可能に取り付けられている。また、昇降グリル２１には、前側の左右および後側の中央部に吊りひも２３，２４，２５が各々取り付けられている。計３本の吊りひも２３，２４，２５の上端は、グリル枠１１の上に設けられている昇降装置２６の巻取りドラム２７，２８，２９に各々取り付けられている。昇降装置２６の外郭を構成するケース３１の内側には、上記複数の巻取りドラム２７，２８，２９、この巻取りドラム２７，２８，２９を回転駆動する駆動装置であるモータ３６、このモータ３６と巻取りドラム２７，２８，２９とを連動させる連動機構および摩擦抵抗負荷装置３７，３８，３９が設けられている。
【００１７】
上記連動機構は、モータ３６の回転軸に取り付けられたウォームギア４１、このウォームギア４１に噛合する第１ギア４２、この第１ギア４２に噛合する中間歯車である第２ギア４３、および、第２ギア４３に噛合する第３ギア４４を具備している。第１巻取りドラム２７および第３巻取りドラム２９は第３ギア４４と一体に回転し、第２巻取りドラム２８は第１ギア４２と一体に回転する。したがって、昇降装置２６のモータ３６が稼働すると、巻取りドラム２７，２８，２９が回転し、吊りひも２３，２４，２５の巻取り・繰り出しを行い、昇降グリル２１が昇降する。
【００１８】
摩擦抵抗負荷装置３７，３８，３９は、各吊りひも２３，２４，２５に摩擦抵抗を負荷している。この摩擦抵抗負荷装置３７，３８，３９は各々、一対の押さえ部材５１を具備しており、吊りひも２３，２４，２５を一対の押さえ部材５１で挟持することにより、吊りひも２３，２４，２５に摩擦抵抗を負荷している。この押さえ部材５１による挟持はバネの付勢力などで行われており、このバネの付勢力を調整することにより、吊りひも２３，２４，２５に負荷される摩擦抵抗値を変更することができる。
【００１９】
前述のように、昇降装置２６はグリル枠１１の上側に設けられており、昇降装置２６からの吊りひも２３，２４，２５は、グリル枠１１に形成された吊りひも用の孔５６，５７，５８を通って、グリル枠１１の下方に導かれ、その下端が昇降グリル２１に取り付けられる。
【００２０】
そして、吊りひも２３，２４，２５の配線による摩擦抵抗値は各々異なるので、摩擦抵抗負荷装置３７，３８，３９が吊りひも２３，２４，２５に負荷する摩擦抵抗値は、吊りひも２３，２４，２５の先端の引上げ力が略等しくなるように調整されて設定される。すなわち、吊りひも２３，２４，２５は、第１吊りひも２３、第３吊りひも２５および第２吊りひも２４の順で配線長さが長くなっており、配線による摩擦抵抗値が順次大きくなるため、摩擦抵抗負荷装置３７，３８，３９の設定値である摩擦抵抗値は、第１吊りひも２３の摩擦抵抗負荷装置３７、第３吊りひも２５の摩擦抵抗負荷装置３９および第２吊りひも２４の摩擦抵抗負荷装置３８の順で小さくしている。
【００２１】
このように構成された実施の形態の天井埋込型空気調和装置において、昇降装置２６のモータ３６を稼働させて、吊りひも２３，２４，２５を巻取りドラム２７，２８，２９から繰り出すと、繰り出された吊りひも２３，２４，２５は摩擦抵抗負荷装置３７，３８，３９により摩擦抵抗が負荷され、昇降グリル２１は自重により安定した状態で適度なスピードで降りていく。
【００２２】
一方、昇降グリル２１をグリル枠１１の吸込口１２に収納する際には、昇降装置２６のモータ３６を稼働させて、巻取りドラム２７，２８，２９を繰り出し方向とは反対側に回転させて、吊りひも２３，２４，２５を巻取りドラム２７，２８，２９に巻き取る。そして、摩擦抵抗負荷装置３７，３８，３９により各吊りひも２３，２４，２５の先端での引上げ力が略等しくなった状態で、昇降グリル２１は上昇し、グリル枠１１の吸込口１２に適正に収納される。
【００２３】
前述のように、上記実施の形態においては、摩擦抵抗負荷装置３７，３８，３９の摩擦抵抗値を各々調整して異ならしめることにより、各吊りひも２３，２４，２５の先端での引上げ力を略等しくすることができる。したがって、昇降グリル２１を安定して昇降させることができるとともに、昇降グリル２１を適正に収納することができる。
【００２４】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）吊りひもは、前側に２本、後側に１本であるが、前後を逆にして、前側に１本、後側に２本とすることも可能である。また、吊りひもの本数を変更することも可能である。たとえば、４本とすることも可能である。ただし、３本にすることがコスト上好ましい。
（２）昇降装置は、吊りひもを巻き上げ・繰り出しができるならば、その構造、配置や形式は適宜変更可能である。
（３）吹出口は１個設けられているが、その個数や配置箇所などは適宜変更可能であり、たとえば、前後の２か所に配置することも可能である。
（４）室内機本体１を天井内の構造体に支持させるための固定手段は適宜変更可能である。
（５）摩擦抵抗負荷装置は、吊りひもに直接的または間接的に摩擦抵抗を負荷することができるならば、その構造、配置位置や形式などは適宜変更可能である。たとえば、巻取りドラムに摩擦抵抗負荷装置を設けて、巻取りドラムに摩擦抵抗を負荷することにより、間接的に吊りひもに摩擦抵抗を負荷することも可能である。
【図面の簡単な説明】
【００２５】
【図１】図１は本発明の実施の形態の天井埋込型空気調和装置のグリル枠および昇降グリルの斜視図である。
【図２】図２はグリル枠の概略の平面図である。
【図３】図３はグリル枠の要部断面図である。
【図４】図４は摩擦抵抗負荷装置の説明図で、（ａ）が正面図、（ｂ）が（ａ）の B-B断面図である。
【図５】図５は天井埋込型空気調和装置の斜視図である。
【符号の説明】
【００２６】
１  室内機本体
１１  グリル枠
１２  空気吸込口
１３  空気吹出口
２１  昇降グリル
２２  フィルター
２３  第１吊りひも
２４  第２吊りひも
２５  第３吊りひも
２６  昇降装置
３７  摩擦抵抗負荷装置
３８  摩擦抵抗負荷装置
３９  摩擦抵抗負荷装置
【図１】
2005016934.tif 000003
【図２】
2005016934.tif 000004
【図３】
2005016934.tif 000005
【図４】
2005016934.tif 000006
【図５】
2005016934.tif 000007